(57)【要約】【課題】谷樋自体の結露の発生を抑制したビニルハウス用谷樋およびその製造方法の提供。【解決手段】隣接するビニルハウス間の谷部長手方向に沿って配設されるビニルハウス用谷樋１であって、谷樋本体６の下面に断熱材７が貼着されたものであり、谷樋本体６の下面に断熱材７が貼着されているため、ハウス内外の温度差によって谷樋下面の結露の発生が抑制される。また、谷樋本体の冷気も下面の断熱材により遮断されるので、この冷気がハウス内に伝達されることも抑制される。【選択図】図２
2015226496.tif 000002
【特許請求の範囲】
【請求項１】
隣接するビニルハウス間の谷部長手方向に沿って配設されるビニルハウス用谷樋であって、
谷樋本体の下面に断熱材が貼着されたビニルハウス用谷樋。
【請求項２】
前記断熱材は、厚さ２〜６ｍｍである請求項１記載のビニルハウス用谷樋。
【請求項３】
前記断熱材は、発泡ウレタンまたはグラスウールである請求項１または２に記載のビニルハウス用谷樋。
【請求項４】
隣接するビニルハウス間の谷部長手方向に沿って配設されるビニルハウス用谷樋の製造方法であって、
平板状の樋材料の表面に断熱材を貼着すること、
前記断熱材が貼着された前記平板状の樋材料を、前記断熱材が下面に配される樋形状に曲げ加工すること
を含むビニルハウス用谷樋の製造方法。
【発明の詳細な説明】
【技術分野】
【０００１】
本発明は、隣接するビニルハウス間の谷部長手方向に沿って配設されるビニルハウス用谷樋およびその製造方法に関する。
【背景技術】
【０００２】
従来、農業用のビニルハウスとして、ハウスを並設した連棟タイプのものがあり、これらはビニルハウスの屋根面谷部に水が溜まらないように、隣接するビニルハウス間の谷部長手方向に沿ってビニルハウス用谷樋が設けられている（例えば、特許文献１参照。）。
【先行技術文献】
【特許文献】
【０００３】
【特許文献１】特開２００５−２５３４１７号公報
【発明の概要】
【発明が解決しようとする課題】
【０００４】
ところで、従来のビニルハウス用谷樋は、一般的にスチール製であるが、スチールは熱伝導率が高いため、ハウス内外の温度差によって谷樋自体の下面に結露が発生する。そして、谷樋下面に発生した結露がハウス内の土壌に落下すると、農作物に根腐れ、病気発生や生育不良などの悪影響を及ぼす可能性がある。また、谷樋からハウス内に冷気が下りてくることも、農作物に悪影響を及ぼす要因となる。
【０００５】
そこで、本発明においては、谷樋自体の結露の発生を抑制したビニルハウス用谷樋およびその製造方法を提供することを目的とする。
【課題を解決するための手段】
【０００６】
本発明のビニルハウス用谷樋は、隣接するビニルハウス間の谷部長手方向に沿って配設されるビニルハウス用谷樋であって、谷樋本体の下面に断熱材が貼着されたものである。本発明のビニルハウス用谷樋によれば、谷樋本体の下面に断熱材が貼着されているため、ハウス内外の温度差によって谷樋下面の結露の発生が抑制される。また、谷樋本体の冷気も下面の断熱材により遮断されるので、この冷気がハウス内に伝達されることも抑制される。
【発明の効果】
【０００７】
本発明のビニルハウス用谷樋によれば、ハウス内外の温度差によって谷樋下面の結露の発生および冷気の伝達が抑制され、農作物の根腐れ、病気発生や生育不良などが防止される。
【図面の簡単な説明】
【０００８】
【図１】本発明の実施の形態における谷樋をビニルハウスに配設した状態を示す説明図である。
【図２】図１の谷樋の正面図である。
【発明を実施するための形態】
【０００９】
図１は本発明の実施の形態における谷樋をビニルハウスに配設した状態を示す説明図、図２は図１の谷樋の正面図である。
【００１０】
図１に示すように、本発明の実施の形態における谷樋１は、連棟型ビニルハウス２の隣接するビニルハウス２ａ，２ｂ間に形成された谷部３に配設される。谷樋１は、図１に示すハウス構築用のパイプ材４，５のうち、屋根形成用のパイプ材４に図示しない汎用留め具によって連結固定される。
【００１１】
谷樋１は、図２に示すように、谷樋本体６と、谷樋本体６の下面に貼着された断熱材７とから構成されている。谷樋本体６は、底壁１０と左右側壁１１とから構成されており、底壁１０の左右縁から左右側壁１１を漸次拡開させながら上方へ伸延させた樋形状が形成されている。なお、本実施形態における谷樋本体６はスチール製であるが、アルミニウム製や樹脂製とすることも可能である。
【００１２】
側壁１１は、底壁１０から略４５度の角度で上方へ伸延した下側壁１１ａと、この下側壁１１ａに対して略２０度引き起こすように折曲させて伸延させた中途壁１１ｂと、この中途壁１１ｂから下側壁１１ａと略平行に伸延させた上部壁１１ｃとからなる。また、上部壁１１ｃの上部位置には、断面視蟻溝形状のシート定着用溝１２が側壁１１と連続して一体的に形成されている。
【００１３】
シート定着用溝１２は、ビニルハウス２ａ，２ｂを構築する際に、ビニルシートをハウス構築用パイプに定着するときに用いるレール状の一般的なシート留材と同様な形状であり、溝底をなすシート受面１３と、このシート受面１３よりも狭く形成された溝開口部１４とを有する。屋根形成用のシートＳは、シート定着用溝１２内に、弾性を有するクランプ材Ｃにより狭圧して定着される。
【００１４】
本実施形態においては、谷樋１は、平板状の樋材料の表面に断熱材７を貼着した後、この断熱材７が貼着された平板状の樋材料を、図２に示すように、断熱材７が下面に配される樋形状に曲げ加工することにより製造される。断熱材７は接着剤を用いて厚さ０．５〜２．０ｍｍの平板状の樋材料の表面に貼着している。また、断熱材７の厚さは、平板状の樋材料に貼着された状態で曲げ加工するため、２〜６ｍｍとすることが望ましい。
【００１５】
また、本実施形態においては、断熱材７は、谷樋本体６の底壁１０と、側壁１１の下側壁１１ａおよび中途壁１１ｂの下面にのみ設けられており、上部壁１１ｃおよびシート定着用溝１２の下面には設けられていない。これは、シートＳがシート定着用溝１２から中途壁１１ｂの途中まで覆っており、このシートＳによりシート定着用溝１２および上部壁１１ｃが断熱されているため、シート定着用溝１２および上部壁１１ｃの下面が結露しにくいことによる。また、シート定着用溝１２の下面に断熱材７が貼着されていないため、機械による曲げ加工がしやすくなる。なお、断熱材７は谷樋本体６の下面全体に設けることも可能である。また、谷樋本体６の上下両面に設けることも可能である。
【００１６】
断熱材７としては、グラスウール（ガラス繊維）、ロックウール、セルロースファイバー、炭化コルクや羊毛断熱材等の繊維系断熱材、発泡ウレタン（ウレタンフォーム）、フェノールフォーム、ポリスチレンフォーム、ＥＰＳ（ビーズ法ポリスチレン）、発泡ゴム（ＦＥＦ）やＸＰＳ（押し出し法ポリスチレン）等の発泡系断熱材やその他の断熱性を有する材料を用いることができる。また、断熱材７を複層に設けても良い。
【００１７】
上記構成の谷樋１は、ビニルハウス２ａ，２ｂの谷部３の長手方向に沿って配設され、雨水などを受けるとともに、谷樋１の要所要所に設けてある図示しない排水孔、あるいは端部に連設した縦樋から地上へ導水する。そして、この谷樋１では、谷樋本体６の下面に断熱材７が貼着されているため、ビニルハウス２内外の温度差によって谷樋１下面の結露の発生が抑制される。また、谷樋本体６の冷気も下面の断熱材７により遮断されるので、この冷気がビニルハウス２内に伝達されることも抑制される。したがって、この谷樋１を用いたビニルハウス２では、農作物の根腐れ、病気発生や生育不良などが防止される。
【産業上の利用可能性】
【００１８】
本発明のビニルハウス用谷樋は、隣接するビニルハウス間の谷部長手方向に沿って配設されるビニルハウス用谷樋として有用であり、特に、谷樋自体の結露の発生を抑制して、農作物の根腐れ、病気発生や生育不良などを防止可能なビニルハウス用谷樋として好適である。
【符号の説明】
【００１９】
１  谷樋
２  連棟型ビニルハウス
２ａ，２ｂ  ビニルハウス
３  谷部
４，５  パイプ材
６  谷樋本体
７  断熱材
１０  底壁
１１  側壁
１１ａ  下側壁
１１ｂ  中途壁
１１ｃ  上部壁
１２  シート定着用溝
１３  シート受面
１４  溝開口部
Ｓ  シート
Ｃ  クランプ材
【図１】
2015226496.tif 000003
【図２】
2015226496.tif 000004